(57)【要約】【課題】  レンズ駆動装置にかかる負荷を低減可能な固体撮像装置及びこれを備えた電子機器を提供する。【解決手段】  基板１に配置した撮像素子２と、撮像素子２に被写体像を結像するレンズ３と、レンズ３を保持したレンズホルダ４と、レンズホルダ４の被写体側に配置したシャッタ装置５Ａと、シャッタ装置５Ａのシャッタ羽根を駆動するステップモータ８Ａとを備えた固体撮像装置１００Ａであって、レンズホルダ４及びシャッタ装置５Ａがレンズ３の光軸方向へ移動自在に配置され、ステップモータ８Ａが、基板１側に固定したコイルと、コイルに固定されたステータ１０Ａと、シャッタ装置５Ａに支持されるとともにステータ１０Ａに対向するロータ９Ａとを備える。これにより、レンズホルダ４を駆動するレンズ駆動装置２２の負荷を低減できる。また、コイルと基板１上に設置されるドライバＩＣ２１とを接続する接続線が断線するのを防止できる。【選択図】          図１
2006211595.tif 000002
【特許請求の範囲】
【請求項１】
基板に配置した撮像素子と、前記撮像素子に被写体像を結像するレンズと、前記レンズを保持したレンズホルダと、前記レンズホルダの前記被写体側に配置したシャッタ装置と、前記シャッタ装置のシャッタ羽根を駆動するアクチュエータとを備えた固体撮像装置であって、
前記レンズホルダ及び前記シャッタ装置が前記レンズの光軸方向へ移動自在に配置され、
前記アクチュエータが、前記基板側に固定したコイルと、該コイルに固定されたステータと、前記シャッタ装置に支持されるとともに前記ステータに対向するロータとを備えたことを特徴とする固体撮像装置。
【請求項２】
基板に配置した撮像素子と、前記撮像素子に被写体像を結像するレンズと、前記レンズを保持したレンズホルダと、前記レンズホルダの前記被写体側に配置したシャッタ装置と、前記シャッタ装置のシャッタ羽根を駆動するアクチュエータとを備えた固体撮像装置であって、
前記レンズホルダ及び前記シャッタ装置が前記レンズの光軸方向へ移動自在に配置され、
前記アクチュエータが、前記シャッタ装置に支持されたロータ及びステータと、前記基板側に固定したコイルとを備え、
前記ステータが、前記シャッタ装置の移動に伴って前記コイルに設けられた空間内を移動することを特徴とする固体撮像装置。
【請求項３】
基板に配置した撮像素子と、前記撮像素子に被写体像を結像するレンズと、前記レンズを保持したレンズホルダと、前記レンズホルダの前記被写体側に配置したシャッタ装置と、前記シャッタ装置のシャッタ羽根を駆動するアクチュエータとを備えた固体撮像装置であって、
前記レンズホルダ及び前記シャッタ装置が光軸方向へ移動自在に配置され、
前記アクチュエータが、前記基板側に固定したコイルと、該コイルに固定されたステータと、該ステータに対向するロータと、該ロータから前記光軸方向へ延伸するとともに前記シャッタ羽根を駆動する駆動軸とを備え、
前記シャッタ羽根が、前記シャッタ装置の移動に伴って前記駆動軸に対し移動することを特徴とする固体撮像装置。
【請求項４】
請求項１から請求項３のいずれか一項記載の固体撮像装置を備えた電子機器。
【発明の詳細な説明】
【技術分野】
【０００１】
本発明は固体撮像装置及び固体撮像装置を備えた電子機器に関する。
【背景技術】
【０００２】
従来、撮像装置では、撮像レンズと撮像素子との間にシャッタ部材を配置していた。そのため、撮像レンズと撮像素子とによってシャッタ部材が設計及び製作上の制約を受けていた。特許文献１では、シャッタ部材の小型化を図る技術が提案されている。特許文献１によれば、シャッタ部材を撮像レンズの被写体側に配置している。
【特許文献１】特開２００４−１５６０２号公報
【発明の開示】
【発明が解決しようとする課題】
【０００３】
しかしながら、特許文献１記載の撮像装置では、シャッタ装置がシャッタ羽根を駆動するアクチュエータを一体的に備えている。そのため、シャッタ装置の重量がその分重くなってしまう。すなわち、レンズ駆動装置を備える撮像装置において、レンズ駆動時にシャッタ装置も共に駆動される場合には、レンズ駆動装置の負荷が大きくなるという問題がある。
【０００４】
そこで本発明は、上記の問題に鑑みてなされたものであり、レンズ駆動装置にかかる負荷を低減可能な固体撮像装置及び電子機器を提供することを目的とする。
【課題を解決するための手段】
【０００５】
上記課題を解決するために、本発明は、基板に配置した撮像素子と、前記撮像素子に被写体像を結像するレンズと、前記レンズを保持したレンズホルダと、前記レンズホルダの前記被写体側に配置したシャッタ装置と、前記シャッタ装置のシャッタ羽根を駆動するアクチュエータとを備えた固体撮像装置であって、前記レンズホルダ及び前記シャッタ装置が光軸方向へ移動自在に配置され、前記アクチュエータが、前記基板側に固定したコイルと、該コイルに固定されたステータと、前記シャッタ装置に支持されるとともに前記ステータに対向するロータとを備えたことを特徴とする。
【０００６】
本発明によれば、レンズホルダの駆動と共にシャッタ装置がレンズの光軸方向に移動しても、シャッタ羽根を駆動するアクチュエータの一部分である、ステータ及びコイルボビンを基板側に固定できる。これにより、レンズホルダを駆動するレンズ駆動装置の負荷を低減できる。また、コイルと基板上に設置されるドライバＩＣとを接続する接続線が断線するのを防止できる。
【０００７】
また本発明は、基板に配置した撮像素子と、前記撮像素子に被写体像を結像するレンズと、前記レンズを保持したレンズホルダと、前記レンズホルダの被写体側に配置したシャッタ装置と、前記シャッタ装置のシャッタ羽根を駆動するアクチュエータとを備えた固体撮像装置であって、前記レンズホルダ及び前記シャッタ装置が前記レンズの光軸方向へ移動自在に配置され、前記アクチュエータが、前記シャッタ装置に支持されたロータ及びステータと、前記基板側に固定したコイルとを備え、前記ステータが、前記シャッタ装置の移動に伴って前記コイルに設けられた空間内を移動することを特徴とする。
【０００８】
本発明によれば、レンズホルダの駆動と共にシャッタ装置がレンズの光軸方向に移動しても、シャッタ羽根を駆動するアクチュエータの一部分である、コイルボビンを基板側に固定できる。これにより、レンズホルダを駆動するレンズ駆動装置の負荷を低減できる。また、コイルと基板上に設置されるドライバＩＣとを接続する接続線が断線するのを防止できる。
【０００９】
また本発明は、基板に配置した撮像素子と、前記撮像素子に被写体像を結像するレンズと、前記レンズを保持したレンズホルダと、前記レンズホルダの前記被写体側に配置したシャッタ装置と、前記シャッタ装置のシャッタ羽根を駆動するアクチュエータとを備えた固体撮像装置であって、前記レンズホルダ及び前記シャッタ装置が前記レンズの光軸方向へ移動自在に配置され、前記アクチュエータが、前記基板側に固定したコイルと、該コイルに固定されたステータと、該ステータに対向するロータと、該ロータから前記光軸方向へ延伸した前記シャッタ羽根を駆動する駆動軸とを備え、前記シャッタ羽根が、前記シャッタ装置の移動に伴って前記駆動軸に対し前記光軸方向に移動することを特徴とする。
【００１０】
本発明によれば、レンズホルダの駆動と共にシャッタ装置がレンズの光軸方向に移動しても、シャッタ装置のアクチュエータ、とりわけコイルボビン、ステータ及びロータを基板側に固定できる。これにより、レンズホルダを駆動するレンズ駆動装置の負荷を低減できる。また、コイルと基板上に設置されるドライバＩＣとを接続する接続線が断線するのを防止できる。
【００１１】
また、本発明は前記固体撮像装置を備えた電子機器も含む。これにより、レンズホルダを駆動するレンズ駆動装置の負荷を低減可能な携帯端末等の電子機器を提供することができる。
【発明の効果】
【００１２】
本発明によれば、レンズホルダを駆動するレンズ駆動装置の負荷を低減可能な固体撮像装置及び電子機器を提供可能である。
【発明を実施するための最良の形態】
【００１３】
以下、本発明を実施するための最良の形態を図面と共に詳細に説明する。
【実施例１】
【００１４】
図１は、本発明の固体撮像装置１００Ａの構成を示す図である。図１に示すように、固体撮像装置１００Ａは、基板１、撮像素子２、レンズ３、レンズホルダ４、シャッタ装置５Ａ及びレンズ駆動装置２２を備える。レンズ駆動装置２２は公知のレンズ駆動機構であってよい。例えば、モータと、モータの回転に連動するとともにレンズホルダ４に係合するカム部材とを備え、カム部材の動作に応じてレンズホルダ４をレンズ３の光軸方向に駆動する駆動機構などを用いてよい。固体撮像装置１００Ａは、例えば携帯端末等の電子機器内に設けられている。図２（ａ）は、固体撮像装置１００Ａのレンズ３が撮像素子２側に移動した時の側面図であり、図２（ｂ）は、固体撮像装置１００Ａのレンズ３が被写体側に移動した時の側面図であり、図３は、固体撮像装置１００Ａの上面図である。
【００１５】
図１に示すように、撮像素子２は、基板１の上面に実装されている。レンズ３は、略円筒状のレンズホルダ４の上面側略円中心に保持され、レンズホルダ４の外周部には、フランジ部１３が設けられている。フランジ部１３は、レンズ３の光軸と直交する方向にフランジ面を有し、ガイド軸１４と嵌合する穴部を有している。ガイド軸１４は略円柱状の部材であり、レンズ３の光軸方向に延伸している。また、ガイド軸１４は前記レンズホルダ４に設けられたフランジ部１３の穴部に挿入され、一端部が軸固定部１５に固定されている。軸固定部１５は、基板１の上面外側に設けられている。このようにして、レンズホルダ４は、レンズ３の光軸が撮像素子２の受光部の中心と一致するよう備えられている。また、基板１上には、シャッタドライバＩＣ２１や図示しない周辺回路素子が搭載されている。
【００１６】
レンズホルダ４の被写体側（図１において上側）にはシャッタ装置５Ａが備えられている。シャッタ装置５Ａは、ケース６Ａ、保持部７Ａ及びステップモータ８Ａにより構成されている。シャッタ装置５Ａは、ケース６Ａの表裏に貫通した略円形状のシャッタ孔が、その中心がレンズ３の光軸中心と一致するよう設けられている。また、シャッタ装置５Ａは、アクチュエータとしてステップモータ８Ａを備えている。ステップモータ８Ａは、例えば永久磁石を用いたロータ９Ａと、ロータ９Ａの磁極に励磁相を対向させたステータ１０Ａと、コイルを巻回してステータ１０Ａの一部を内包し、ステータ１０Ａに固定されるコイルボビン１１Ａとからなる。ステップモータ８Ａは、外部からパルス信号を受け、コイルによりステータ１０Ａの励磁相を励磁する。そして、その電磁力でロータ９Ａを吸引、反発してロータ９Ａの中心を通るロータ軸を回転させる。
【００１７】
ロータ９Ａは、レンズホルダ４の外周部に当接した保持部７Ａに、ロータ軸を光軸と平行にした状態で両端部が回転可能に保持される。また、ロータ軸は、中間部でシャッタ装置５Ａのケース６Ａ内に収納された図示しないシャッタ羽根と係合している。シャッタ羽根はロータ軸の回転に応じて回動し、ケース６Ａに設けられた光軸中心と同心の貫通孔を開閉する。励磁層でロータ９Ａを挟んだステータ１０Ａは、光軸と直交する方向へ基板１に設けられた一対の台座１２Ａによって固定される。一対の台座１２Ａは、コイルボビン１１Ａをその間に挟むように基板１上に設けられる。また、図２（ａ）及び図２（ｂ）に示すように、ロータ９Ａの光軸方向の幅１６は、ステータ１０Ａの光軸方向の幅１７Ａと、レンズホルダ４の光軸方向への最大移動量１８Ａとの和よりも幅広に形成されている。
【００１８】
この構成でレンズ駆動装置２２によりレンズホルダ４が光軸方向へ駆動されると、レンズホルダ４と共にシャッタ装置５Ａが一体的に移動する。この際、ロータ９Ａも光軸方向へ一体的に移動するが、図２（ａ）及び図２（ｂ）に示すように、ロータ９Ａの光軸方向の幅１６は、ステータ１０Ａの光軸方向の幅１７Ａと、レンズホルダ４の光軸方向への最大移動量１８Ａとの和よりも幅広に形成されている。そのため、ロータ９Ａの磁極とステータ１０Ａの励磁相とが常に対向した状態を維持できる。すなわち、レンズホルダ４の駆動と共にシャッタ装置５Ａが移動しても、シャッタ装置５Ａの機能を損なうことなく、シャッタ装置５Ａのアクチュエータの一部分である、ステータ１０Ａ及びコイルボビン１１Ａを基板１側に固定できる。これにより、レンズホルダ４を駆動するレンズ駆動装置２２の負荷を低減可能である。また、コイルボビン１１Ａを固定できるので、コイルと、基板１上に設置されるシャッタドライバＩＣ２１とを接続する接続線が断線するのを防止できる。
【実施例２】
【００１９】
図４は、本発明の固体撮像装置１００Ｂの構成を示す図である。図４に示すように、固体撮像装置１００Ｂは、基板１、撮像素子２、レンズ３、レンズホルダ４、シャッタ装置５Ｂ及びレンズ駆動装置２２を備える。レンズ駆動装置２２は公知のレンズ駆動機構であってよい。例えば、モータと、モータの回転に連動するとともにレンズホルダ４に係合するカム部材とを備え、カム部材の動作に応じてレンズホルダ４をレンズ３の光軸方向に駆動する駆動機構などを用いてよい。固体撮像装置１００Ｂは、例えば携帯端末等の電子機器内に設けられている。図５（ａ）は、固体撮像装置１００Ｂのレンズ３が撮像素子２側に移動した時の側面図であり、図５（ｂ）は、固体撮像装置１００Ｂのレンズ３が被写体側に移動した時の側面図であり、図６は、固体撮像装置１００Ｂの上面図である。
【００２０】
図４に示すように、撮像素子２は、基板１の上面に実装されている。レンズ３は、略円筒状のレンズホルダ４の上面側略円中心に保持され、レンズホルダ４の外周部には、フランジ部１３が設けられている。フランジ部１３は、レンズ３の光軸と直交する方向にフランジ面を有し、ガイド軸１４と嵌合する穴部を有している。ガイド軸１４は略円柱状の部材であり、レンズ３の光軸方向に延伸している。また、ガイド軸１４は前記レンズホルダ４に設けられたフランジ部１３の穴部に挿入され、一端部が軸固定部１５に固定されている。軸固定部１５は、基板１の上面外側に設けられている。このようにして、レンズホルダ４は、レンズ３の光軸が撮像素子２の受光部の中心と一致するよう備えられている。また、基板１上には、シャッタドライバＩＣ２１や図示しない周辺回路素子が搭載されている。
【００２１】
レンズホルダ４の被写体側（図４において上側）にはシャッタ装置５Ｂが備えられている。シャッタ装置５Ｂは、ケース６Ｂ、保持部７Ｂ及びステップモータ８Ｂにより構成されている。シャッタ装置５Ｂは、ケース６Ｂの表裏に貫通した略円形状のシャッタ孔が、その中心がレンズ３の光軸中心と一致するよう設けられている。また、シャッタ装置５Ｂは、アクチュエータとしてステップモータ８Ｂを備えている。ステップモータ８Ｂは、例えば永久磁石を用いたロータ９Ｂと、ロータ９Ｂの磁極に励磁相を対向させたステータ１０Ｂと、コイルを巻回してステータ１０Ｂの一部を内包するコイルボビン１１Ｂとからなる。ステップモータ８Ｂは、外部からパルス信号を受け、コイルによりステータ１０Ｂの励磁相を励磁する。そして、その電磁力でロータ９Ｂを吸引、反発してロータ９Ｂの中心を通るロータ軸を回転させる。
【００２２】
ロータ９Ｂは、レンズホルダ４の外周部に当接した保持部７Ｂに、ロータ軸を光軸と平行にした状態で両端部が回転可能に保持される。ロータ軸は、中間部でシャッタ装置５Ｂのケース６Ｂ内に収納された図示しないシャッタ羽根と係合している。シャッタ羽根はロータ軸の回転に応じて回動し、ケース６Ｂに設けられた光軸中心と同心の貫通孔を開閉する。励磁層でロータ９Ｂを挟んだステータ１０Ｂは、光軸と直交する方向へ保持部７Ｂに設けられた一対の台座７Ｂａによって固定される。コイルボビン１１Ｂは、基板１上に設けられた一対の台座１２Ａ間に挟まれるように固定されている。また、図５（ａ）及び図５（ｂ）に示すように、コイルボビン１１Ｂは、ステータ１０Ｂの一部を内包する貫通孔１１Ｂａの光軸方向の幅１９が、ステータ１０Ｂの光軸方向の幅１７Ｂと前記レンズホルダの最大駆動量１８Ｂの和よりも、光軸方向へ幅広に形成されている。
【００２３】
この構成でレンズ駆動装置２２によりレンズホルダ４が光軸方向へ駆動されると、レンズホルダ４と共にシャッタ装置５Ｂが一体的に移動する。この際、ステータ１０Ｂも光軸方向へ一体的に移動するが、図５（ａ）及び図５（ｂ）に示すように、コイルボビン１１Ｂは、ステータ１０Ｂの一部を内包する貫通孔１１Ｂａの幅１９が、ステータ１０Ｂの光軸方向の幅１７Ｂと前記レンズホルダの最大駆動量１８Ｂの和よりも、光軸方向へ幅広に形成されている。すなわち、レンズホルダ４の駆動と共にシャッタ装置５Ｂが移動しても、シャッタ装置５Ｂの機能を損なうことなく、シャッタ装置５Ｂのアクチュエータの一部分である、コイルボビン１１Ｂを基板１側に固定できる。これにより、レンズホルダ４を駆動するレンズ駆動装置２２の負荷を低減可能である。また、コイルボビン１１Ｂを固定できるので、コイルと基板１上に設置されるシャッタドライバＩＣ２１とを接続する接続線が断線するのを防止できる。
【実施例３】
【００２４】
図７は、本発明の固体撮像装置１００Ｃの構成を示す図である。図７に示すように、固体撮像装置１００Ｃは、基板１、撮像素子２、レンズ３、レンズホルダ４、シャッタ装置５Ｃ及びレンズ駆動装置２２を備える。レンズ駆動装置２２は公知のレンズ駆動機構であってよい。例えば、モータと、モータの回転に連動するとともにレンズホルダ４に係合するカム部材とを備え、カム部材の動作に応じてレンズホルダ４をレンズ３の光軸方向に駆動する駆動機構などを用いてよい。固体撮像装置１００Ｃは、例えば携帯端末等の電子機器内に設けられている。図８（ａ）は、固体撮像装置１００Ｃのレンズ３が撮像素子２側に移動した時の側面図であり、図８（ｂ）は、固体撮像装置１００Ｃのレンズ３が被写体側に移動した時の側面図であり、図９は、固体撮像装置１００Ｃの上面図である。
【００２５】
図７に示すように、撮像素子２は、基板１の上面に実装されている。レンズ３は、略円筒状のレンズホルダ４の上面側略円中心に保持され、レンズホルダ４の外周部には、フランジ部１３が設けられている。フランジ部１３は、レンズ３の光軸と直交する方向にフランジ面を有し、ガイド軸１４と嵌合する穴部を有している。ガイド軸１４は略円柱状の部材であり、レンズ３の光軸方向に延伸している。また、ガイド軸１４は前記レンズホルダ４に設けられたフランジ部１３の穴部に挿入され、一端部が軸固定部１５に固定されている。軸固定部１５は、基板１の上面外側に設けられている。このようにして、レンズホルダ４は、レンズ３の光軸が撮像素子２の受光部の中心と一致するよう備えられている。また、基板１上には、シャッタドライバＩＣ２１や図示しない周辺回路素子が搭載されている。
【００２６】
レンズホルダ４の被写体側（図７において上側）にはシャッタ装置５Ｃが備えられている。シャッタ装置５Ｃは、ケース６Ｃとステップモータ８Ｃとにより構成されている。シャッタ装置５Ｃは、ケース６Ｃの表裏に貫通した略円形状のシャッタ孔が、その中心がレンズホルダ４の光軸中心と一致するよう設けられている。また、シャッタ装置５Ｃは、アクチュエータとしてステップモータ８Ｃを備えている。ステップモータ８Ｃは、例えば永久磁石を用いたロータ９Ｃと、ロータ９Ｃの磁極に励磁相を対向させたステータ１０Ａと、コイルを巻回してステータ１０Ａの一部を内包し、ステータ１０Ａに固定されるコイルボビン１１Ａとからなる。ステップモータ８Ｃは、外部からパルス信号を受け、コイルによりステータ１０Ａの励磁相を励磁する。そして、その電磁力でロータ９Ｃを吸引、反発してロータ９Ｃの中心を通るロータ軸を回転させる。
【００２７】
ロータ９Ｃは、ロータ軸を光軸と平行にした状態で一端部が基板１上に回転可能に保持される。また、ロータ軸の他端側は、シャッタ装置５Ｃのケース６Ｃ内に収納された図示しないシャッタ羽根に設けられた穴部及びケース６Ｃに設けられた穴部と嵌合している。この嵌合は、シャッタ装置５Ｃが光軸方向へ摺動可能な構造により行われる。シャッタ羽根はロータ軸の回転に応じて回動し、ケース６Ｃに設けられた光軸中心と同心の貫通孔を開閉する。励磁層でロータ９Ｃを挟んだステータ１０Ａは、光軸と直交する方向へ基板１に設けられた一対の台座１２Ｂによって固定される。一対の台座１２Ｂは、コイルボビン１１Ａをその間に挟むように基板上に設けられる。また、図８（ａ）に示すように、レンズ３が撮像素子２側に移動した時におけるロータ軸他端側の突出部の長さ２０は、レンズホルダ４の光軸方向への最大移動量１８Ｃよりも長く形成されている。
【００２８】
この構成でレンズ駆動装置２２によりレンズホルダ４が光軸方向へ駆動されると、レンズホルダ４と共にシャッタ装置５Ｃが一体的に移動する。この際、図８（ａ）に示すように、レンズ３が撮像素子２側に移動した時におけるロータ軸他端側の突出部の長さ２０は、レンズホルダ４の光軸方向への最大移動量１８Ａよりも長く形成されている。そのため、図８（ｂ）に示すように、レンズ３が被写体側に移動した時においても、ロータ軸の他端部と、ケース６Ｃの穴部及び図示しないシャッタ羽根を回動させる穴部との嵌合が外れることがない。これによって、シャッタ羽根はロータ軸の回転に応じて回動し、ケース６Ｃに設けられた光軸中心と同心の貫通孔を開閉できる。すなわち、レンズホルダ４の駆動と共にシャッタ装置５Ｃが移動しても、シャッタ装置５Ｃの機能を損なうことなく、シャッタ装置５Ｃのアクチュエータの一部分である、ロータ９Ｃ、ステータ１０Ａ及びコイルボビン１１Ａを基板１側に固定できる。これにより、レンズホルダ４を駆動するレンズ駆動装置２２の負荷を低減可能である。また、コイルボビン１１Ａを固定できるので、コイルと基板１上に設置されるシャッタドライバＩＣ２１とを接続する接続線が断線するのを防止できる。
【００２９】
以上本発明の好ましい実施形態について詳述してきたが、本発明は係る特定の実施形態に限定されるものではなく、特許請求の範囲に記載された本発明の要旨の範囲内において、種々の変形、変更が可能である。
【図面の簡単な説明】
【００３０】
【図１】本発明に係る固体撮像装置１００Ａの構成図である。
【図２】本発明に係る固体撮像装置１００Ａの側面図である。
【図３】本発明に係る固体撮像装置１００Ａの上面図である。
【図４】本発明に係る固体撮像装置１００Ｂの構成図である。
【図５】本発明に係る固体撮像装置１００Ｂの側面図である。
【図６】本発明に係る固体撮像装置１００Ｂの上面図である。
【図７】本発明に係る固体撮像装置１００Ｃの構成図である。
【図８】本発明に係る固体撮像装置１００Ｃの側面図である。
【図９】本発明に係る固体撮像装置１００Ｃの上面図である。
【符号の説明】
【００３１】
１  基板
２  撮像素子
３  レンズ
４  レンズホルダ
５Ａ、５Ｂ、５Ｃ  シャッタ装置
６Ａ、６Ｂ、６Ｃ  ケース
７Ａ、７Ｂ  保持部
７Ｂａ  台座
８Ａ、８Ｂ、８Ｃ  ステップモータ
９Ａ、９Ｂ、９Ｃ  ロータ
１０Ａ、１０Ｂ  ステータ
１１Ａ、１１Ｂ  コイルボビン
１１Ｂａ  貫通孔
１２Ａ、１２Ｂ  台座
１３  フランジ部
１４  ガイド軸
１５  軸固定部
１６  ロータ９Ａの光軸方向の幅
１７Ａ、１７Ｂ  ステータ１０Ａ、ステータ１０Ｂの光軸方向の幅
１８Ａ、１８Ｂ、１８Ｃ  レンズホルダ４の光軸方向への最大移動量
１９  貫通孔１１Ｂａの光軸方向の幅
２０  レンズ３が撮像素子２側へ移動したときのロータ軸他端側の突出部の長さ
２１  シャッタドライバＩＣ
２２  レンズ駆動装置
１００Ａ、１００Ｂ、１００Ｃ  固体撮像装置
【図１】
2006211595.tif 000003
【図２】
2006211595.tif 000004
【図３】
2006211595.tif 000005
【図４】
2006211595.tif 000006
【図５】
2006211595.tif 000007
【図６】
2006211595.tif 000008
【図７】
2006211595.tif 000009
【図８】
2006211595.tif 000010
【図９】
2006211595.tif 000011